(57)【要約】      （修正有）【課題】下半身身体障害者のトイレ内におけるその身体を１８０度変換するためのトイレ用補助具を提供する。【解決手段】回転可能に構成した回転テーブル３上に複数本の支柱４にて支承された手すり５を設けた踏み板２を固設し、回転テーブル３には回転抵抗調整装置、回転固定装置６を設けたことにより構成される。【選択図】図３
2014104337.tif 000002
【特許請求の範囲】
【請求項１】
回転可能に構成した回転テーブル上に複数本の支柱にて支承された手すりを設けた踏み板を固設し、該回転テーブルには回転抵抗調整装置、回転固定装置を設けたことにより構成されることを特徴とするトイレ用方向変換補助装置。
【請求項２】
請求項１により構成される複数本の支柱の高さを任意に調整することが出来る支柱高調整機構、支柱着脱自在機構を有するトイレ用方向変換補助装置。
【発明の詳細な説明】
【発明の詳細な説明】
【産業上の利用分野】
【０００１】本発明は身体障害者特に歩行困難者が車椅子による生活を余儀なくされている状況において、該障害者がトイレの使用を望んだ時出来うる限り介護者の負担を軽減するためのトイレ用身体方向変換具に関するものである。
【背景技術】
【０００２】従来下半身の機能に障害を持つ身体障害者がトイレを使用し用を達したいときは、介護者に車椅子を用いてトイレの便器近くまで搬送してもらい、そこで障害者は車椅子から介護者の手を借りつつ壁面の支え棒又は支え用取って等につかまり車椅子から降車し静止する。【０００３】そこで介護者は一旦車椅子をその場から移設する。そののち介護者は障害者の体をトイレの洋式便座に腰かけることが出来る方向に体を支えつつ１８０度回転変換する。その後障害者は自分独自か又は介護者の手を借りつつ下半身の衣服を下部に下ろし便座に腰かけて用をたす。用が済めば障害者は介護人の補助のもとに衣服を整えつつ立ち上がり壁面の支え棒又は取ってを持ちつつ身体を１８０度旋回して向きを変える。【０００４】そこで介護者は再び車椅子を障害者に近ずけ障害者を車椅子に腰かけさせる。しかしこれら一連の作業は、障害者の障害の程度が重い場合や障害者の体重が重い場合介護者にとっては大変な重労働であり、場合によっては一人では介添え出来ない場合もあり二人がかりという場合もあった。此の介護作業は介護人にとって最も大変な重労働の一つであった。又此の作業は一日又は二日に一度という頻度の入浴と異なり一日何回もの回数を行わなければならなかった。【０００５】しかし下半身の障害以外は通常の健常者と何ら変わらない人の場合は簡易トイレで済ますとか、オムツを当てるとかの行為は障害者にとって受け入れがたいものであった。またプライバシーにも係わる問題でもあった。
【発明が解決しようとする課題】
【０００６】従来の下半身身体障害者を介護者が車椅子によってトイレに搬送し、トイレで用を済まさせるにおいて、車椅子より降車させ便座に座らせる場合介護者は大変な重労働を強いられてきた。本発明においてはその介護者の重労働を著しく軽減しようとするものである。
【０００７】介護者が一番苦労し労力を使うのは下半身身体障害者を車椅子より降車させ、便座に向き合っていた下半身身体障害者をその後便座に腰かけることが出来るよう便座に向かって背を向ける状態にするため、下半身身体障害者の身体を１８０度回転させて体の向きを変える作業を行う時である。しかし前記したごとく重篤な下半身身体障害者や体重の重い人等を対象とするこれらの作業における介護者の苦労と労力は大変大きいものであった。
【０００８】本発明は上記の点に鑑みてなされたものであり介護者が容易に下半身身体障害者のトイレ使用時の介護を行いうることが出来る介護補助器具を提供し、介護者の作業の軽減と下半身身体障害者の介護時の精神的、肉体的な苦痛を軽減ならしめ、介護福祉大国ならんとする国にとって少しでもその問題の軽減が図れることを目的とするものである。
【０００９】介護者の一番の苦労と労力は前記したごとく、下半身身体障害者をトイレの便座近傍に車椅子によって搬送し降車させた時、便座に向かって対面状態にある下半身身体障害者を、１８０度回転させて便座に対して背を向けて腰を下ろすと便座に御尻が乗る状態に体制を作ることにある。此の時下半身身体障害者を１８０度方向変換させるのに介添えまた支えまた本人の動き等をバランスよく行う必要がある。
【００１０】此の介護者の介添えを極端に軽減するためには車椅子より降車させた下半身身体障害者がその場において容易にその身体の向きを１８０度回転し向きを変換させることが出来れば可能となる。
【００１１】本発明においては下半身身体障害者のトイレ内におけるその身体を１８０度変換するためのトイレ用補助具を提供する。
【課題を解決するための手段】
【００１２】而して本発明において用いられる装置の特徴は、回転抵抗を任意に変換できる回転テーブル上面に下半身身体障害者が乗ることのでき、且つ障害者が身体を支えるための手で把持出来うる手すりを固設した踏み板を設けたことを特徴とする。該テーブルは所望する位置に停止させた時回転を停止させる回転ロック機構を有している。
【００１３】また下半身身体障害者の身長に応じて手で把持出来うる手すりの高さも調節出来うる構成としている。
【実施例】
【００１４】本発明において用いられる装置の一実施例を図面と共に説明する。【００１５】図において説明する。図１は本発明の側面図、図２は本発明の一部断面上面図である。図３は本発明の組み付け状況を示す説明図である。図４は本発明の使用状態を示す説明図である。本発明は回転ロック装置６を有し回転装置上部板１１を有する回転テーブル３に支柱４により支承された手すり５を固設した踏み板２を接合して固設し、その回転部内部は結合軸８を中心に結合構成した回転装置架台７に、リテーナー９ローラー１０によって回転装置上部板１１を回転可能ならしめるよう構成し、回転テーブル３の側面には回転ロック装置６を設ける。【００１６】本発明は以上の機構により構成されたものであり、その機構の目的は踏み板２上に乗った下半身身体障害者が、手すり５を把持しつつ起立した状態その身体を介護者の手動操作により安全に１８０度回動させることが出来、回動後回転テーブルが介護者の操作により安全に固定され、その後必要に応じて再度回転固定装置が解除されて回転テーブルが介護者の手動によって所望する角度回転するように成したものである。【００１７】また支柱４に伸縮調整機構を設けて障害者の身長に合わせて手すりの高さを調整できるように構成することによって、より使用における利便性がます。以上が本発明の構成であり以下に本発明の操作、使用方法を説明する。【００１８】介護者はまず本発明のトイレ用補助具１を回転ロック装置６を作動して回転テーブル３の回転をロックしてトイレの便座２１の前面に設置する。
次に車椅子２０を使用して下半身身体障害者２２を本装置１の前面に移設する。
次いで介護者の補助により下半身身体障害者２２を車椅子２０より降車させて介助しつつ、障害者を本発明の補助具の踏み板２の上面に手すり５を利用しつつ起立させて図４の２３のごとくの状態にする。その後介護者は回転ロック装置６を操作してロックを外し、手すり５を持ちつつ踏み板２を下半身身体障害者を乗せつつ共に１８０度回動する。【００１９】而してその時点で障害者は便座を背にして起立した状態となる。
その後下部の衣服を下げて介添え者の補助のもと障害者は便座に腰かけて用をたす。介添え者は障害者の要求によって下半身の衣服を下げる時その場所より身体を外すよう要求された場合は、障害者が便座に腰かけた時の立ち位置を十分確認する。【００２０】その後障害者が用を済ませた後、介添え者は再び障害者を踏み板２に立たせ回転ロック機構６を解除してゆっくり障害者と共に踏み板２を１８０度回転させて、介添え者と向き合うように回動させ回転ロック装置６を作動させて回転をロックする。しかる後車椅子２０を再びそば近くまで持ち込み障害者を車椅子２０に座らせる。その後車椅子をトイレ内より引き出しその後本発明のトイレ補助具を搬出する。【００２１】以上が本発明のトイレ補助具１の実施例の構成とその操作作用の説明である。
【発明の効果】
【００２２】本発明にいよれば本発明の簡単な構成によるトイレ用補助具を用いて下半身身体障害者を一人の介護者のみで多大な労力と多くの神経を使うことなく、簡単に障害者のトイレ使用を可能ならしめることが出来、且つ障害者はトイレの使用時簡単にトイレの便座に座ることが出来るため、介護者に多くの負担をかけるという精神的な苦痛より解放され、気軽にトイレの使用要求を介護者にすることが出来るため介護者にとっても下半身身体障害者にとっても非常に有益なものとなる。
【図面の簡単な説明】
【００２３】
【図１】本発明のトイレ用補助具の側面図
【図２】回転テーブルの一部断面上面図
【図３】本発明の組み立て分解図
【図４】本発明の使用状態の説明図
【符号の説明】１      トイレ用補助具
２      踏み板
３      回転テーブル
４      支柱
５      手すり
６      回転ロック装置
７      回転装置架台
８      結合軸
９      リテーナー
１０    ローラー
１１    回転装置上部板
１２    締結ボルト
２１    洋式便器
２２    坐した下半身身体障害者
２３    起立した下半身身体障害者
【図１】
2014104337.tif 000003
【図２】
2014104337.tif 000004
【図３】
2014104337.tif 000005
【図４】
2014104337.tif 000006